(57)【要約】【課題】不使用時にペーパーサポートが給送用開口カバーとして機能している状態において、該給送用開口カバー（収縮状態のペーパーサポート）部分が周囲より高くなって段差ができてしまう問題を防止すること。【解決手段】被記録材サポート7は、記録装置のフレームに回動可能に設けられ、基端側サポート31と、自由端側サポート29と、基端側サポートと自由端側サポートとの間に介在される中間介在部材33とを備え、中間介在部材は、基端側サポートの裏面に伸長及び収縮方向にスライド可能に係合され、自由端側サポートは、前記中間介在部材の裏面に前記伸長及び収縮方向にスライド可能に係合されており、前記自由端側サポートの前記中間介在部材と係合する面と反対側の面は、給送用開口9を閉塞する閉状態において記録装置の外装面を構成する。【選択図】  図３
2011020828.tif 000002
【特許請求の範囲】
【請求項１】
不使用時に給送用開口を閉塞する給送用開口カバーとして機能し、使用時に拡開して被記録材をセットする時の保持部材として機能する被記録材サポートを備える記録装置であって、
前記被記録材サポートは、
記録装置のフレームに回動可能に設けられ、伸長時に被記録材の基端側を保持する基端側サポートと、
伸長時に被記録材の自由端側を保持する自由端側サポートと、
前記基端側サポートと前記自由端側サポートとの間に介在される中間介在部材とを備え、
前記中間介在部材は、前記基端側サポートの前記被記録材がセットされる面と反対側の面に、当該被記録材サポートの伸長及び収縮方向にスライド可能に係合され、
前記自由端側サポートは、前記中間介在部材の前記基端側サポートと係合する面と反対側の面に、前記伸長及び収縮方向にスライド可能に係合されており、
前記自由端側サポートの前記中間介在部材と係合する面と反対側の面は、給送用開口を閉塞する閉状態において記録装置の外装面を構成することを特徴とする記録装置。
【請求項２】
請求項１に記載の記録装置において、
前記被記録材サポートの伸長時に、前記基端側サポートの先端部と前記自由端側サポートの基端部がオーバーラップする構成であることを特徴とする記録装置。
【請求項３】
請求項１または請求項２に記載の記録装置において、
前記自由端側サポートは、伸長時に被記録材の自由端側の全幅に亘って保持し得る幅寸法を有していることを特徴とする記録装置。
【請求項４】
請求項１〜３のいずれか１項に記載の記録装置において、
前記中間介在部材と基端側サポートと自由端側サポートは、給送用開口を閉塞する閉状態において、互いに重なると共に、前記中間介在部材と基端側サポートは自由端側サポートによって外部に対して覆われた状態となることを特徴とする記録装置。
【請求項５】
請求項１〜４のいずれか１項に記載の記録装置において、
前記中間介在部材は、前記被記録材サポートの幅方向に配列される複数の中間介在ピースの組み合わせによって構成されていることを特徴とする記録装置。
【発明の詳細な説明】
【技術分野】
【０００１】
本発明は、不使用時に給送用開口を閉塞する給送用開口カバーとして機能し、使用時に拡開して被記録材をセットする時の保持部材として機能する被記録材サポートを備える背面給送式の記録装置に関する。
【背景技術】
【０００２】
従来の背面給送式の記録装置において、被記録材（以下、用紙ともいう）サポート領域を大きく取る場合には、特許文献１（特開２００７−１３１４２１号公報）に示すように、複数の被記録材サポート（以下、ペーパーサポートともいう）が入れ子状に多段に収納された多段式ペーパーサポートが多く使用されていた。  
前記多段式ペーパーサポートは、各段のペーパーサポートが入れ子状に収納されるため、必然的に上段に行くに従がって幅が狭くなり、更に多段式ペーパーサポート全体の厚さも大きくなっていた。また、前記多段式ペーパーサポートの場合には、各段のペーパーサポートを引き出すための指掛かりとなる切欠き部や各段のペーパーサポートの合わせ面に見切り線が出る構造になっていた。
【０００３】
一方、一台のインクジェットプリンターで画像の取り込みと出力を行うことができるスキャナーを搭載した多機能タイプのインクジェットプリンターが近時、普及している。このようなタイプのインクジェットプリンターの場合には、スキャナーを搭載するためのスペースを確保する必要からペーパーサポートの設置スペースが必然的に小さくなり、コンパクトな構造で用紙を正常に給紙するのに必要なサポート領域をどのように確保するかが重要になってくる。
【発明の概要】
【発明が解決しようとする課題】
【０００４】
この場合、スキャナーを搭載した多機能タイプのインクジェットプリンターに前記多段式ペーパーサポートが適用すれば、ペーパーサポートの設置スペースが小さくても用紙のサポート領域の全体をカバーすることができる。
【０００５】
しかし、多段式ペーパーサポートの場合には、どうしてもペーパーサポート全体の厚さも大きくなので、不使用時に収縮状態で給送用開口を閉塞する給送用開口カバーとして機能している状態では、該給送用開口カバー（収縮状態のペーパーサポート）部分が周囲より高くなって段差ができてしまう問題があった。周囲の高さを高くすることで段差を無くすことは可能であるが、そうするとプリンター全体の厚さが増大してしまう。
【０００６】
また、不使用時に給送用開口を閉塞する給送用開口カバーとして機能するペーパーサポートの場合には、前記見切り線や入れ子構造に伴なう凸部は外観構成の質を低下する問題につながる。
【０００７】
また、多段式ペーパーサポートは、上段に行くに従ってペーパーサポートの幅が狭くなるため、当該ペーパーサポートにセットされた用紙の上部コーナー部を保持できず、用紙垂れを生じさせるという問題がある。
【０００８】
本発明に係る幾つかの態様は、前記課題を解決することで、不使用時にペーパーサポートが給送用開口カバーとして機能している状態において、該給送用開口カバー（収縮状態のペーパーサポート）部分が周囲より高くなって段差ができてしまう問題を防止することにある。
【課題を解決するための手段】
【０００９】
前記課題を解決するために本発明の第１の態様に係る記録装置は、不使用時に給送用開口を閉塞する給送用開口カバーとして機能し、使用時に拡開して被記録材をセットする時の保持部材として機能する被記録材サポートを備える記録装置であって、前記被記録材サポートは、記録装置のフレームに回動可能に設けられ、伸長時に被記録材の基端側を保持する基端側サポートと、伸長時に被記録材の自由端側を保持する自由端側サポートと、前記基端側サポートと前記自由端側サポートとの間に介在される中間介在部材とを備え、前記中間介在部材は、前記基端側サポートの前記被記録材がセットされる面と反対側の面に、当該被記録材サポートの伸長及び収縮方向にスライド可能に係合され、前記自由端側サポートは、前記中間介在部材の前記基端側サポートと係合する面と反対側の面に、前記伸長及び収縮方向にスライド可能に係合されており、前記自由端側サポートの前記中間介在部材と係合する面と反対側の面は、給送用開口を閉塞する閉状態において記録装置の外装面を構成することを特徴とするものである。
【００１０】
本態様によれば、前記中間介在部材は、前記基端側サポートの前記被記録材がセットされる面と反対側の面に、当該被記録材サポートの伸長及び収縮方向にスライド可能に係合され、前記自由端側サポートは、前記中間介在部材の前記基端側サポートと係合する面と反対側の面に、前記伸長及び収縮方向にスライド可能に係合されている。従って、中間介在部材を境にしてその一面側に基端側サポートが、他面側に自由端側サポートが、互いに別個に位置するので、従来の入れ子構造等に比して被記録材サポート全体としての厚さを小さく押さえることが可能となる。これにより、不使用時に被記録材サポートが給送用開口カバーとして機能している状態において、該給送用開口カバー（収縮状態の被記録材サポート）部分が周囲より高くなって段差ができてしまう問題を防止することができる。
【００１１】
また、前記自由端側サポートの前記中間介在部材と係合する面と反対側の面は、給送用開口を閉塞する閉状態において記録装置の外装面を構成するので、従来の多段式の被記録材サポートの場合に現われる見切り線や凸部等が生じない。従って、外観構成の質の低下を防止することができ、記録装置の調和のとれた外観構成を実現することができる。
【００１２】
本発明の第２の態様は、前記第１の態様の記録装置において、前記被記録材サポートの伸長時に、前記基端側サポートの先端部と前記自由端側サポートの基端部がオーバーラップする構成であることを特徴とするものである。  
本態様によれば、前記オーバーラップ構造によって当該被記録材サポートの伸長時における剛性をしっかり確保することができる。
【００１３】
本発明の第３の態様は、前記第１の態様または第２の態様の記録装置において、前記自由端側サポートは、伸長時に被記録材の自由端側の全幅に亘って保持し得る幅寸法を有していることを特徴とするものである。
【００１４】
上記したように、中間介在部材を境にしてその一面側に基端側サポートが、他面側に自由端側サポートが、互いに別個に位置するので、従来の入れ子構造等では不可能であったが、当該自由端側サポートを、伸長時に被記録材の自由端側をその中央部だけでなく全幅に亘って保持し得る幅寸法に設定することが可能となる。
【００１５】
すなわち本態様によれば、被記録材サポートの伸長時において、被記録材を被記録材サポートにセットした時、被記録材の自由端側の両コーナー部は、垂下することなく自由端側サポートによって保持されている。従って、被記録材の前記コーナー部の垂下によって生ずる被記録材の反り癖の発生等が防止され、円滑な被記録材の給送が実現される。
【００１６】
本発明の第４の態様は、前記第１の態様から第３の態様のいずれか１つの態様の記録装置において、前記中間介在部材と基端側サポートと自由端側サポートは、給送用開口を閉塞する閉状態において、互いに重なると共に、前記中間介在部材と基端側サポートは自由端側サポートによって外部に対して覆われた状態となることを特徴とするものである。
【００１７】
本態様によれば、中間介在部材と基端側サポートは、給送用開口を開閉する自由端側サポートの回動時には、自由端側サポートと一体になって回動するようになっている。そして、自由端側サポートを閉状態にすると、給送用開口と共に中間介在部材と基端側サポートも自由端側サポートによって覆われた状態になる。従って、閉状態では中間介在部材と基端側サポートは外観に現れないから記録装置の外観構成の質の低下を防止することができる。
【００１８】
本発明の第５の態様は、前記第１の態様から第４の態様のいずれか１つの態様の記録装置において、前記中間介在部材は、前記被記録材サポートの幅方向に配列される複数の中間介在ピースの組み合わせによって構成されていることを特徴とするものである。
【００１９】
本態様によれば、中間介在部材を幅方向の占有面積の大きな単一部材によって構成する場合に比べて被記録材サポートの小型、軽量化に寄与する。また、複数の中間介在ピースの組み合わせによって構成される中間介在部材によっても前記第１の態様〜第６の態様と同様の作用、効果が発揮される。
【図面の簡単な説明】
【００２０】
【図１】本発明の実施例に係るインクジェットプリンターの外観を示すペーパーサポートが閉状態のときの斜視図。
【図２】本発明の実施例に係るインクジェットプリンターの外観を示すペーパーサポートが開状態になり伸長されたときの斜視図。
【図３】本発明の実施例に係るペーパーサポートが適用された伸長状態のペーパーサポートユニットを示す斜視図。
【図４】本発明の実施例に係るペーパーサポートを分解した状態を示す正面側からの斜視図。
【図５】本発明の実施例に係るペーパーサポートを分解した状態を示す背面側からの斜視図。
【図６】本発明の実施例に係るペーパーサポートを分解した状態を示す図５中の矢視VI部の拡大図。
【図７】本発明の実施例に係るペーパーサポートを分解した状態を示す図４中の矢視VII部の拡大図。
【図８】本発明の実施例に係るペーパーサポートを示すペーパーサポートを閉状態にした時の斜視図。
【図９】本発明の実施例に係るペーパーサポートを示すペーパーサポートを開状態にしたときの斜視図。
【図１０】本発明の実施例に係るペーパーサポートを示す中間介在部材のみを伸長状態にした時の斜視図。
【図１１】本発明の実施例に係るペーパーサポートを示す中間介在部材と自由端側サポートを共に伸長（全伸長）状態にした時の斜視図。
【図１２】本発明の他の実施例に係る伸長状態のペーパーサポートを示す斜視図。
【発明を実施するための形態】
【００２１】
以下、本発明に係る記録装置の実施の形態について説明する。最初に本発明の記録装置を実施するための形態として図１、図２に示すようなインクジェットプリンター１を採り上げて、インクジェットプリンター１の概略を説明する。  
図示のインクジェットプリンター１は、スキャナー３とプリンター４とが一体になった多機能タイプの複合型のインクジェットプリンターである。
【００２２】
また、このインクジェットプリンター１は、不使用時に給送用開口９を閉塞する給送用開口カバーとして機能し、使用時に拡開して用紙Ｐをセットする時の保持部材として機能するペーパーサポート７を備える背面給送式のインクジェットプリンターである。  
インクジェットプリンター１のハウジング５の上面部６には、フラットベッド型のスキャナー３と、該スキャナー３の後部側に給送用開口９を覆っている、一例として回動開閉式のペーパーサポート７とが設けられている。
【００２３】
また、前記ペーパーサポート７は、用紙Ｐを図示しない給送用ローラに向けて案内する給送案内フレーム２３と接続されて後述する被記録材サポートユニット（以下、ペーパーサポートユニットともいう）２１を構成する。尚、前記給送案内フレーム２３は、前記図示しない公知の給送用ローラやホッパーと共に、ペーパーサポート７にセットされた用紙Ｐを最上位のものから順番に１枚ずつピックアップして搬送方向下流の記録実行部に向けて自動的に給送する自動給送装置の構成部材にもなっている。
【００２４】
ハウジング５の前面部８の上部には、一例としてチルト式のパネル装置２５が設けられている。該パネル装置２５の外観に現れる表面２６の中央部に液晶モニター等によって構成されている表示部１１が設けられ、該表示部１１の左右に各部の操作指令を司る複数の操作ボタン１３、１３、…が設けられている。  
前記パネル装置２５の下方のハウジング５における前面部８の中央部には、種類の違うメモリーカード等の外部メディアを挿入するための開口部１５が複数設けられている。
【００２５】
また、前記開口部１５の下方のハウジング５における前面部８の下部には、記録実行後の用紙Ｐを排出する図示しない排出用開口と、当該排出用開口を覆う排出用開口カバーを兼ねた回動自在の排出スタッカ１７が設けられている。
【００２６】
そして、このようなインクジェットプリンター１に対して適用されるペーパーサポート７を含むペーパーサポートユニット２１の構成が本発明の特徴的構成になっており、次に、前記ペーパーサポートユニット２１の構成とその作動態様について具体的に説明する。
【００２７】
［実施例１］
ペーパーサポートユニット２１は、図３に示すように上述した給送案内フレーム２３とペーパーサポート７とを備えることによって構成されている。  
尚、前記給送案内フレーム２３とペーパーサポート７の接続は、ペーパーサポート７の後述する基端側サポート３１における左右両端下部から外方に向けて突出している回動軸３５、３５と、前記給送案内フレーム２３の左右両端上部に設けられている軸受部３７とによって行なわれている。従って、ペーパーサポート７は、前記回動軸３５、３５を支点として、ハウジング５の上面部６とほぼ面一の図１に示す水平姿勢と、幾分、後方に傾いた図２に示す傾斜姿勢との間で回動し得るように構成されている。
【００２８】
ペーパーサポート７は、インクジェットプリンター１の前記フレーム２３に回動可能に設けられ、伸長時に用紙Ｐの基端側の下部を保持する基端側サポート３１と、同じく伸長時に用紙Ｐの自由端側の上部を保持する自由端側サポート２９と、前記基端側サポート３１と前記自由端側サポート２９との間に介在される中間介在部材３３とを備えることによって構成されている。  
そして、前記中間介在部材３３は、基端側サポート３１の前記用紙Ｐがセットされる面である前面５３と反対側の面である背面６５に、当該ペーパーサポート７の伸長及び収縮方向Ｓにスライド可能に係合されている。更に、前記自由端側サポート２９は、その前面３９が中間介在部材３３の基端側サポート３１と係合する面である前面６９と反対側の面である背面７１に、前記伸長及び収縮方向Ｓにスライド可能に係合されている。
【００２９】
自由端側サポート２９は、使用時（最大伸長時）に最も上部に位置する保持部材で、本実施例では、下部の３分の２位の部分が平板状、上部の３分の１位の部分がオーバーハング状に幾分手前に折れ曲がった形状を有している（図４）。
【００３０】
自由端側サポート２９の前面３９は、用紙Ｐを保持する案内載置面になっており、本実施例では、伸長時に用紙Ｐの自由端側の上部を、中央部だけでなく全幅に亘って保持し得る幅寸法Ｗを有している。
【００３１】
一方、自由端側サポート２９の背面４１は、前記給送用開口９を閉塞する閉状態においてインクジェットプリンター１の外装面を構成し、見切り線や凸部を有しない美しく平担な形状に成形されている。  
また、自由端側サポート２９の前面３９における上縁寄りの中央部には、自由端側サポート２９を引き出したり、収納する場合の指掛かりとなる指掛け凸部４０が設けられている。
【００３２】
また、自由端側サポート２９の下部の平板部の前面３９における外方の左右対称位置には、図７に示すように後述する中間介在部材３３のガイドレール４５と係合する内側に鉤状に折れ曲がった係合鉤部４３が伸長・収縮方向Ｓに延びるように設けられている。  
一方、自由端側サポート２９の下部の平板部の前面３９における内方の左右対称位置には、同図に示すように後述する中間介在部材３３の係合溝部４９と係合する短寸の位置決め用突起４７が設けられている。
【００３３】
基端側サポート３１は、前記給送案内フレーム２３と接続される下部に位置する伸長・収縮方向Ｓに移動しない保持部材であり、全体が平板状で上縁部中央に逆台形状に切り欠かれた切欠き部５１が形成されている。  
また、図６に示すように、基端側サポート３１の前面５３には伸長・収縮方向（用紙Ｐの給送方向となる）Ｓに延びる複数本の案内リブ５５が適宜の間隔で設けられている。
【００３４】
また、基端側サポート３１の前面５３における外方の左右対称位置には、図６に示すように後述する中間介在部材３３の係合鉤部５９と係合するガイドレール５７が前記案内リブ５５の一部を利用して、当該案内リブ５５の上線を内側に張り出させるようにして設けられている。  
また、基端側サポート３１の前面５３における内方の左右対称位置には、同図に示すように後述する中間介在部材３３の係合溝部６３と係合する短寸の位置決め用突起６１が設けられている（図６）。
【００３５】
この他、基端側サポート３１の左右両端面の下部には、上述した回動軸３５、３５が外方に突出するように設けられており、該回動軸３５、３５を支点として前記自由端側サポート２９と当該基端側サポート３１と次に述べる中間介在部材３３とが一体になって所定の角度回動し得るように構成されている。  
前記中間介在部材３３と基端側サポート３１と自由端側サポート２９は、給送用開口９を閉塞する閉状態において、互いに重なると共に、前記中間介在部材３３と基端側サポート３１は、自由端側サポート２９によって外部に対して覆われた状態となるようになっている。
【００３６】
中間介在部材３３は、前記基端側サポート３１の背面６５側、前記自由端側サポート２９の前面３９側に配設される単一の矩形平板状の部材で、図３に示す全伸長時において前記基端側サポート３１と前記自由端側サポート２９のほぼ中間部に位置している。  
図３に示すように、当該ペーパーサポート７の全伸長時には、前記基端側サポート３１の上端部（先端部）と前記自由端側サポート２９の下端部（基端部）が互いにオーバーラップするように構成されている。
【００３７】
中間介在部材３３の左右両端部には、図７に示すように、前記自由端側サポート２９の前面３９に設けられている係合鉤部４３、４３に係合する上述したガイドレール４５、４５が外方に張り出すように設けられている。
【００３８】
また、中間介在部材３３の背面７１（図５）の左右対称位置には、図５及び図７に示すように、前記自由端側サポート２９の前面３９に設けられている位置決め用突起４７、４７と係合する上述した係合溝部４９、４９が伸長・収縮方向Ｓに延びるように設けられている。  
一方、中間介在部材３３の前面６９外方の左右対称位置には、図６に示すように、前記基端側サポート３１の背面６５に設けられているガイドレール５７、５７と係合する上述した係合鉤部５９、５９が伸長・収縮方向Ｓに延びるように設けられている。
【００３９】
また、中間介在部材３３の前面６９の内方の左右対称位置には、図６に示すように、前記基端側サポート３１の背面６５に設けられている位置決め用突起６１、６１と係合する上述した係合溝部６３、６３が伸長・収縮方向Ｓに延びるように設けられている。
【００４０】
そして、このようにして構成されるペーパーサポート７は、厚さ寸法Ｂ（図３、図１１）が小さく、奥行寸法Ａ（図１、図８）が大きく取れない狭い設置スペースのペーパーサポート７にも対応できる構造になっている。そして、全伸長時のペーパーサポート７の高さ寸法Ｃ（図２、図３、図１１）は、当該ペーパーサポート７にセットされた用紙Ｐの正常な給送状態を得るのに必要な広いサポート領域を確保できる寸法になっている。
【００４１】
次に、前記構造のペーパーサポート７の作動態様を、ペーパーサポート７を閉状態にした（１）収納時と、ペーパーサポート７を開状態にした（２）拡開時と、中間介在部材３３のみを伸長させた（３）中間介在部材伸長時と、自由端側サポート２９と中間介在部材３３との両方を伸長させた（４）通常使用（全伸長）時とに分けて具体的に説明する。
【００４２】
（１）収納時（図１、図８参照）
ペーパーサポート７を収納した状態では、給送用開口９と中間介在部材３３と基端側サポート３１は、自由端側サポート２９によって覆れた、図１、図８に示す、手前に折り畳まれた状態になっている。
【００４３】
この状態では、中間介在部材３３を境にしてその前面６９側に基端側サポート３１が、背面７１側に自由端側サポート２９が、互いに別個に位置するので、従来の入れ子構造等に比してペーパーサポート７全体としての厚さを小さく押さえることが可能となる。これにより、不使用時にペーパーサポート７が給送用開口カバーとして機能している状態において、該給送用開口カバー部分が周囲より高くなって段差ができてしまう問題を防止することができる。また、収納時は、自由端側サポート２９の背面４１のみが外観に現れており、スキャナー３の天板等の高さに馴染んだ平坦で調和のとれた外観構成になっている。
【００４４】
（２）拡開時（図９参照）
自由端側サポート２９の図８において手前側に位置していた自由端側の適所に指を掛けて奥部上方に向けて自由端側サポート２９を回動させる。これにより、自由端側サポート２９は、中間介在部材３３及び基端側サポート３１と一体になって、基端側サポート３１の左右両端面に設けられている回動軸３５、３５を支点として回動し、図９に示す拡開時の状態となる。  
そして、この状態で給送用開口９が現われる。
【００４５】
（３）中間介在部材伸長時（図１０参照）
次に、中間介在部材３３と自由端側サポート２９を手で挟持して上方に引き上げると、図１０の状態に移行する。この状態では、中間介在部材３３の前面６９外方の係合鉤部５９と基端側サポート３１の背面６５のガイドレール５７との係合作用と、中間介在部材３３の前面６９内方の係合溝部６３と基端側サポート３１背面６５の位置決め用突起６１との係合作用とによって自由端側サポート２９と中間介在部材３３が同時に所定ストローク上方に移動する。
【００４６】
（４）通常使用（全伸長）時（図２、図１１参照）
次に、自由端側サポート２９の前面３９上部に設けられている指掛け凸部４０に指を掛けて更に上方に引き上げると、図２、図１１に示す、通常使用（全伸長）時の状態に移行する。この状態では、中間介在部材３３の左右両端部に設けられているガイドレール４５と、前記自由端側サポート２９の前面３９の係合鉤部４３との係合作用と、中間介在部材３３の背面７１に設けられている係合溝部４９と前記自由端側サポート２９の前面３９の位置決め用突起４７との係合作用とによって自由端側サポート２９のみが更に所定ストローク上方に移動する。
【００４７】
上記したように、中間介在部材３３を境にしてその前面６９側に基端側サポート３１が、背面７１側に自由端側サポート２９が、互いに別個に位置するので、従来の入れ子構造等では不可能であったが、当該自由端側サポート２９を、伸長時に用紙Ｐの自由端側をその中央部だけでなく全幅に亘って保持し得る幅寸法Ｗに設定することが可能となる。  
すなわち、ペーパーサポート７の伸長時において、用紙Ｐをペーパーサポート７にセットした時、用紙Ｐの自由端側の両コーナー部は、垂下することなく自由端側サポート２９によって保持される。従って、用紙Ｐの前記コーナー部の垂下によって生ずる該用紙Ｐの反り癖の発生等が防止される。この状態で、パネル装置２５の表示部１１を見ながら操作ボタン１３を押して操作することによって用紙Ｐの記録の実行が開始される。
【００４８】
［実施例２］
図１２に基づいて、実施例２について説明する。  
実施例２では、前記中間介在部材３３は、前記実施例１のように単一の中間介在部材３３のみによって構成するのではなく、前記ペーパーサポート７の幅方向Ｘに配列される複数の中間介在ピース７５の組み合わせによって構成されている。  
具体的には、図１２ではペーパーサポート７Ａの左右対称位置に２枚の中間介在ピース７５Ｌ、７５Ｒを配設した構成である。このような構成のペーパーサポート７Ａによっても、単一の中間介在部材３３のみを使用した前記実施例１のペーパーサポート７と同様の作用、効果が得られる。
【００４９】
〔他の実施例〕
本発明に係る記録装置は、以上述べたような構成を基本とするものであるが、本願発明の要旨を逸脱しない範囲内の部分的構成の変更や省略等を行うことも勿論可能である。  
例えば、本発明の記録装置１に使用される被記録材Ｐは通常の厚さの用紙の他、ポリエステル等の合成樹脂フィルムや肉厚の葉書や写真用紙等であっても構わない。
【符号の説明】
【００５０】
１  インクジェットプリンター（記録装置）、  ３  スキャナー、
４  プリンター、                           ５  ハウジング
６  上面部、                               ７  ペーパーサポート
８  前面部、                               ９  給送用開口、
１１  表示部、                             １３  操作ボタン、
１５  開口部、                             １７  排出スタッカ、
２１  ペーパーサポートユニット、
２３  給送案内フレーム、                   ２５  パネル装置、
２６  表面、                               ２９  自由端側サポート、
３１  基端側サポート、
３３  中間介在部材、                       ３５  回動軸、
３７  軸受部、                             ３９  前面、
４０  指掛け凸部、                         ４１  背面、
４３  係合鉤部、                           ４５  ガイドレール、
４７  位置決め用突起、                     ４９  係合溝部、
５１  切欠き部、                           ５３  前面、
５５  案内リブ、                           ５７  ガイドレール、
５９  係合鉤部、                           ６１  位置決め用突起、
６３  係合溝部、                           ６５  背面、
６９  前面、
７１  背面、                               ７５  中間介在ピース、
Ｘ  幅方向、
Ｚ  上下方向、                             Ｐ  用紙（被記録材）、
Ｓ  伸長・収縮方向、                       Ｗ  幅寸法、
Ｂ  厚さ寸法、                             Ａ  奥行き寸法、
Ｃ  高さ寸法、
【先行技術文献】
【特許文献】
【００５１】
【特許文献１】特開２００７−１３１４２１号公報
【図１】
2011020828.tif 000003
【図２】
2011020828.tif 000004
【図３】
2011020828.tif 000005
【図４】
2011020828.tif 000006
【図５】
2011020828.tif 000007
【図６】
2011020828.tif 000008
【図７】
2011020828.tif 000009
【図８】
2011020828.tif 000010
【図９】
2011020828.tif 000011
【図１０】
2011020828.tif 000012
【図１１】
2011020828.tif 000013
【図１２】
2011020828.tif 000014